(57)【要約】【課題】支持具を極力質素な形状として、外観を良好に維持できる電子機器を得ることにある。【解決手段】電子機器は、機器本体を卓上に設置する第１の形態と、機器本体を起立した壁に設置する第２の形態とのいずれか一つを選択可能な支持具を含む。支持具は、一端に機器本体の底部に引っ掛かる第１の係合部が設けられた板状の第１の支持部と、第１の支持部の他端から第１の支持部とは交差する方向に延びるとともに、先端に機器本体の底部に引っ掛かる第２の係合部が設けられた板状の第２の支持部とを備えている。第１の形態では、第１の係合部が機器本体の底部に引っ掛かって第１の支持部が機器本体の底部から突出されているとともに、第２の支持部が卓上に載置されている。第２の形態では、機器本体に対する支持具の向きが反転された状態で第１および第２の係合部が機器本体の底部に引っ掛かるとともに、第１の支持部が壁から突出された止め具に引っ掛かる。【選択図】図７
2014049568.tif 000002
【特許請求の範囲】
【請求項１】
底部を有する機器本体と、
前記機器本体の前記底部に取り外し可能に支持され、前記機器本体を卓上に設置する際に使用する第１の形態と、前記機器本体を起立した壁に設置する際に使用する第２の形態と、のいずれか一つを選択可能な支持具と、を含み、
前記支持具は、
前記機器本体の幅方向に延びるフラットな板状に形成され、一端に前記機器本体の前記底部に取り外し可能に引っ掛かる第１の係合部が設けられた第１の支持部と、
前記第１の係合部の反対側に位置された前記第１の支持部の他端から前記第１の支持部とは交差する方向に延びるフラットな板状に形成され、その先端に前記機器本体の前記底部に引っ掛かる第２の係合部が設けられた第２の支持部と、を備え、
前記第１の形態では、前記第１の支持部の前記第１の係合部が前記機器本体の前記底部に引っ掛かって前記第１の支持部が前記底部から突出されているとともに、前記第２の支持部が前記卓上に載置され、
前記第２の形態では、前記機器本体に対する前記支持具の向きが反転されて前記第１の係合部および前記第２の係合部が前記機器本体の前記底部に引っ掛かるとともに、前記第１の支持部が前記壁から突出された止め具に引っ掛かるように構成された電子機器。
【請求項２】
請求項１に記載の電子機器において、前記機器本体の前記底部は、前記支持具の前記第１の係合部が選択的に取り外し可能に係合される複数の受け部を有し、当該受け部が前記機器本体の奥行き方向に互いに間隔を存して配列された電子機器。
【請求項３】
請求項１又は請求項２に記載の電子機器において、前記支持具は、一対の板状要素を前記支持具の厚さ方向に互いに組み合わせることで構成され、前記一方の板状要素のうち前記第１の支持部に対応する箇所に前記止め具が取り外し可能に引っ掛かる壁掛け穴が形成され、前記他方の板状要素のうち前記第１の支持部に対応する箇所に前記壁掛け穴を覆い隠す外観面が形成され、前記機器本体を卓上に設置した時に、前記壁掛け穴が前記機器本体の前記底部と向かい合うとともに、前記外観面が前記機器本体の背後に露出するように構成された電子機器。
【請求項４】
請求項１ないし請求項３のいずれか一項に記載された電子機器において、前記機器本体の前記底部は、前記機器本体を前記壁に設置した時に、前記壁から突出された他の止め具が取り外し可能に引っ掛かる座部を有する電子機器。
【請求項５】
請求項１に記載の電子機器において、前記機器本体を前記壁に設置した時に、前記支持具の前記第２の支持部が前記機器本体の前記底部から前記壁に向けて突出されて、前記底部と前記壁との間に前記底部から引き出されたケーブルを収める隙間が形成された電子機器。
【請求項６】
電子機器の底部に取り外し可能に支持され、前記電子機器を卓上に設置する際に使用する第１の形態と、前記電子機器を起立した壁に設置する際に使用する第２の形態と、のいずれか一つを選択可能な支持具であって、
前記電子機器の幅方向に延びる偏平な板状に形成され、一端に前記電子機器の前記底部に取り外し可能に引っ掛かる第１の係合部が設けられた第１の支持部と、
前記第１の係合部の反対側に位置された前記第１の支持部の他端から前記第１の支持部とは交差する方向に延びる偏平な板状に形成され、その先端に前記電子機器の前記底部に引っ掛かる第２の係合部が設けられた第２の支持部と、を備え、
前記第１の形態では、前記第１の支持部の前記第１の係合部が前記電子機器の前記底部に引っ掛かって前記第１の支持部が前記底部から突出されているとともに、前記第２の支持部が前記卓上に載置され、
前記第２の形態では、前記電子機器に対する前記支持具の向きが反転されて前記第１の係合部および前記第２の係合部が前記電子機器の前記底部に引っ掛かるとともに、前記第１の支持部が前記壁から突出された止め具に引っ掛かるように構成された電子機器用支持具。
【請求項７】
請求項６に記載された電子機器用支持具において、前記第１および第２の支持部は、一対の板状要素を互いに組み合わせることで構成され、前記一方の板状要素のうち前記第１の支持部に対応する箇所に前記止め具が取り外し可能に引っ掛かる壁掛け穴が形成され、前記他方の板状要素のうち前記第１の支持部に対応する箇所に前記壁掛け穴を覆い隠す外観面が形成され、前記電子機器を卓上に設置した時に、前記壁掛け穴が前記電子機器の前記底部と向かい合うとともに、前記外観面が前記電子機器の背後に露出するように構成された電子機器用支持具。
【請求項８】
請求項７に記載された電子機器用支持具において、前記一方の板状要素は、前記他方の板状要素よりも小さな形状を有する電子機器用支持具。
【請求項９】
底部を有する筐体と、
前記筐体の前記底部に取り外し可能に支持され、前記筐体を卓上に設置する際に使用する第１の形態と、前記筐体を起立した壁に設置する際に使用する第２の形態と、のいずれか一つを選択可能な支持具と、を具備する電話機であって、
前記支持具は、
前記筐体の幅方向に延びる偏平な板状に形成され、一端に前記筐体の前記底部に取り外し可能に引っ掛かる第１の係合部が設けられた第１の支持部と、
前記第１の係合部の反対側に位置された前記第１の支持部の他端から前記第１の支持部とは交差する方向に延びる偏平な板状に形成され、その先端に前記筐体の前記底部に引っ掛かる第２の係合部が設けられた第２の支持部と、を備え、
前記第１の形態では、前記第１の支持部の前記第１の係合部が前記筐体の前記底部に引っ掛かって前記第１の支持部が前記底部から突出されているとともに、前記第２の支持部が前記卓上に載置され、
前記第２の形態では、前記筐体に対する前記支持具の向きが反転されて前記第１の係合部および前記第２の係合部が前記筐体の前記底部に引っ掛かるとともに、前記第１の支持部が前記壁から突出された止め具に引っ掛かるように構成された電話機。
【請求項１０】
請求項９に記載の電話機において、前記筐体の前記底部は、前記支持具の前記第１の係合部が選択的に取り外し可能に係合される複数の受け部を有し、当該受け部が前記筐体の奥行き方向に互いに間隔を存して配列された電話機。
【請求項１１】
請求項９又は請求項１０に記載の電話機において、前記支持具は、一対の板状要素を前記支持具の厚さ方向に互いに組み合わせることで構成され、前記一方の板状要素のうち前記第１の支持部に対応する箇所に前記止め具が取り外し可能に引っ掛かる壁掛け穴が形成され、前記他方の板状要素のうち前記第１の支持部に対応する箇所に前記壁掛け穴を覆い隠す外観面が形成され、前記筐体を卓上に設置した時に、前記壁掛け穴が前記筐体の前記底部と向かい合うとともに、前記外観面が前記筐体の背後に露出するように構成された電話機。
【請求項１２】
請求項９ないし請求項１１のいずれか一項に記載の電話機において、前記筐体を前記壁に設置した時に、前記支持具の前記第２の支持部が前記筐体の前記底部から前記壁に向けて突出されて、前記底部と前記壁との間に前記底部から引き出されたケーブルを収める隙間が形成された電話器。
【発明の詳細な説明】
【技術分野】
【０００１】
本発明の実施形態は、電子機器、電子機器用支持具および電話機に関する。
【背景技術】
【０００２】
事務用又は家庭用の電話機は、電話機の機器本体を支える支持具を備えている。支持具は、例えば電話機を机の天板の上に設置する際に、機器本体の操作面がオペレータの方向を向くように機器本体をチルトさせる機能と、機器本体を起立した壁に保持するための機能と、を兼ね備えている。そのため、一つの支持具で電話機を机の上に設置する形態と、壁に掛けて設置する形態との双方に対応することができる。
【先行技術文献】
【特許文献】
【０００３】
【特許文献１】特開平１１−５５３７５号公報
【特許文献２】特開２００７−１２３３４７号公報
【特許文献３】特開平８−７９３５０号公報
【特許文献４】特開平１１−２７３６０号公報
【発明の概要】
【発明が解決しようとする課題】
【０００４】
電話機を机の上でチルトさせる場合、支持具が機器本体の底と机の天板との間に介在された状態となる。同様に、電話機を壁に掛ける場合でも、支持具が機器本体の底と壁との間に介在された状態となる。
【０００５】
このため、電話機を背後あるいは側方から見た場合に、支持具が目に付き易くなり、支持具の形状によっては、電話機の見栄えが悪くなることが懸念される。
【０００６】
本発明の目的は、機器本体を支える支持具の存在感を軽減することができ、機器本体を卓上あるいは壁に設置するいずれの場合でも、外観を良好に維持できる電子機器を得ることにある。
【課題を解決するための手段】
【０００７】
実施形態によれば、電子機器は、機器本体の底部に支持され、機器本体を卓上に設置する第１の形態と、機器本体を起立した壁に設置する第２の形態と、のいずれか一つを選択可能な支持具を含んでいる。
【０００８】
支持具は、機器本体の幅方向に延びる偏平な板状に形成され、一端に機器本体の底部に引っ掛かる第１の係合部が設けられた第１の支持部と、第１の支持部の他端から第１の支持部とは交差する方向に延びる偏平な板状に形成され、先端に機器本体の底部に引っ掛かる第２の係合部が設けられた第２の支持部と、を備えている。第１の形態では、第１の支持部の第１の係合部が機器本体の底部に引っ掛かって第１の支持部が底部から突出されているとともに、第２の支持部が卓上に載置されている。第２の形態では、機器本体に対する支持具の向きが反転された状態で第１および第２の係合部が機器本体の底部に引っ掛かるとともに、第１の支持部が壁から突出された止め具に引っ掛かるように構成されている。
【図面の簡単な説明】
【０００９】
【図１】第１の実施形態に係る電話機の平面図。
【図２】第１の実施形態に係る電話機の底面図。
【図３】（Ａ）は、第１の実施形態に係る支持具の正面図。（Ｂ）は、第１の実施形態に係る支持具の側面図。（Ｃ）は、第１の実施形態に係る支持具の背面図。（Ｄ）は、図３（Ｂ）のＦ３−Ｆ３線に沿う断面図。
【図４】図３（Ｃ）のＦ４−Ｆ４線に沿う断面図。
【図５】第１の実施形態において、卓上に設置された電話機のチルト角度を６０度に設定した時の電話機の側面図。
【図６】第１の実施形態において、卓上に設置された電話機のチルト角度を３５度に設定した時の電話機の側面図。
【図７】第１の実施形態において、卓上に設置された電話機のチルト角度を６０度に設定した時の電話機の断面図。
【図８】図７のＦ８の箇所を拡大して示す断面図。
【図９】支持具の係合爪が機器本体のボトムケースに引っ掛かった状態を示す断面図。
【図１０】第１の実施形態において、卓上に設置された電話機のチルト角度を３５度に設定した時の電話機の断面図。
【図１１】図１０のＦ１１の箇所を拡大して示す断面図。
【図１２】支持具の係合爪が機器本体のボトムケースに引っ掛かった状態を示す断面図。
【図１３】第１の実施形態において、電話機を起立した壁に設置した状態を示す側面図。
【図１４】第１の実施形態において、支持具を第１の形態から第２の形態に変更して電話機に取り付ける時の状態を示す断面図。
【図１５】第１の実施形態において、支持具を第１の形態から第２の形態に変更して電話機に取り付けた状態を示す断面図。
【図１６】図１５のＦ１６の箇所を拡大して示す断面図。
【図１７】図１５のＦ１７の箇所を拡大して示す断面図。
【図１８】（Ａ）は、第２の実施形態に係る支持具の正面図。（Ｂ）は、第２の実施形態に係る支持具の側面図。（Ｃ）は、第２の実施形態に係る支持具の背面図。（Ｄ）は、図１８（Ｂ）のＦ１８−Ｆ１８線に沿う断面図。
【図１９】図１８（Ｃ）のＦ１９−Ｆ１９線に沿う断面図。
【図２０】第２の実施形態において、メインパネルとサブパネルとを互いに分離させた状態を示す支持具の側面図。
【図２１】第２の実施形態において、メインパネルにサブパネルを組み付けた状態を示す支持具の側面図。
【図２２】第３の実施形態に係る電話機の断面図。
【発明を実施するための形態】
【００１０】
［第１の実施形態］
以下、第１の実施形態について、図１ないし図１７を参照して説明する。
【００１１】
図１は、電子機器の一例である電話機１を開示している。本実施形態の電話機１は、例えば事務用あるいは家庭用の電話機であって、卓上に置いて使用したり、室内の起立した壁に掛けて使用することを想定している。
【００１２】
電話機１は、機器本体２と、機器本体２にカールコードを介して接続されたハンドセット３と、を備えている。図５および図７に示すように、機器本体２は、筐体４を有している。筐体４は、偏平な四角い箱形であり、プリント配線板５ａ，５ｂおよびその他の電子部品を収容している。
【００１３】
筐体４は、ボトムケース６とトップカバー７とで構成されている。ボトムケース６は、筐体４の底部を構成する要素であって、フラットな底壁６ａを有している。トップカバー７は、ボトムケース６を上から覆うようにボトムケース６に組み合わされている。トップカバー７は、操作面としての上面７ａを有している。上面７ａは、ボトムケース６の底壁６ａと平行なフラットな面であり、電話機１の外に露出されている。
【００１４】
図１に示すように、例えばダイヤルボタン、固定機能ボタンおよび調整ボタンのような複数のボタン８がトップカバー７の上面７ａに配列されている。それとともに、液晶表示パネル９がトップカバー７の上面７ａに配置されている。液晶表示パネル９は、例えば電話番号、カレンダー、時刻および発信・着信状況等を表示する。
【００１５】
さらに、筐体４の左端部にハンドセット載置部１０が形成されている。ハンドセット３は、ハンドセット載置部１０の上に置かれている。
【００１６】
図２に示すように、取り付け座部１２、一対の凸部１３ａ，１３ｂ、一対の第１の凹部１４ａ，１４ｂ、一対の第２の凹部１５ａ，１５ｂおよび一対の挿入口１６ａ，１６ｂがボトムケース６の底壁６ａに形成されている。
【００１７】
図２、図５および図６に示すように、取り付け座部１２は、底壁６ａから突出されているとともに、底壁６ａの中央部ＣＰを通って機器本体２の奥行き方向に延びる中心線Ｃ１の上に位置されている。さらに、取り付け座部１２は、中央部ＣＰよりも底壁６ａの後端の方向にずれた位置に設けられている。
【００１８】
取り付け座部１２は、先端面１２ａを有している。先端面１２ａは、電話機１を室内の起立した壁Ｗに設置する際に、当該壁Ｗに突き当たるフラットな面である。先端面１２ａは、ボトムケース６の底壁６ａに対し、底壁６ａの後端から前端の方向に進むに従い底壁６ａから離れるように傾いている。
【００１９】
壁掛け穴１７が取り付け座部１２の先端面１２ａに形成されている。壁掛け穴１７は、円形の開口部１７ａと、開口部１７ａの開口周縁に開口されたスリット１７ｂとを有している。スリット１７ｂは、開口部１７ａの開口周縁から取り付け座部１２の後方に向けて直線状に延びている。スリット１７ｂの幅は、開口部１７ａの直径よりも小さい。
【００２０】
図２、図５および図６に示すように、凸部１３ａ，１３ｂは、ボトムケース６の底壁６ａから突出されている。凸部１３ａ，１３ｂは、中心線Ｃ１を間に挟んでボトムケース６の幅方向に間隔を存して並んでいるとともに、底壁６ａの中央部ＣＰと取り付け座部１２との間に位置されている。さらに、凸部１３ａ，１３ｂは、夫々嵌合溝１８を有している。嵌合溝１８は、凸部１３ａ，１３の側面から前面に亘って連続して開口されている。
【００２１】
図２および図７に示すように、第１の凹部１４ａ，１４ｂは、ボトムケース６の幅方向に延びる細長い形状を有するとともに、ボトムケース６の底壁６ａに開口されている。第１の凹部１４ａ，１４ｂは、底壁６ａの中央部ＣＰを間に挟むようにボトムケース６の幅方向に間隔を存して並んでいる。第１の凹部１４ａ，１４ｂは、夫々ガイド面１９を備えている。図８および図９に最もよく示されるように、ガイド面１９は、第１の凹部１４ａ，１４ｂの前面により規定されているとともに、底壁６ａに近づくに従いボトムケース６の前方に向けて傾いている。さらに、第１の凹部１４ａ，１４ｂの底に夫々嵌合孔２０が開口されている。嵌合孔２０は、ボトムケース６の幅方向に延びる細長い開口形状を有している。
【００２２】
図２および図１０に示すように、第２の凹部１５ａ，１５ｂは、ボトムケース６の幅方向に延びる細長い形状を有するとともに、ボトムケース６の底壁６ａに開口されている。第２の凹部１５ａ，１５ｂは、取り付け座部１２を間に挟むようにボトムケース６の幅方向に間隔を存して並んでいる。このため、第２の凹部１５ａ，１５ｂは、第１の凹部１４ａ，１４ｂよりも底壁６ａの後端の方向にずれている。
【００２３】
言い換えると、第１の凹部１４ａ，１４ｂおよび第２の凹部１５ａ，１５ｂは、ボトムケース６の奥行き方向に間隔を存して配列されている。そのため、本実施形態では、第１の凹部１４ａ，１４ｂおよび第２の凹部１５ａ，１５ｂが受け部を構成している。
【００２４】
第２の凹部１５ａ，１５ｂは、夫々ガイド面２１を備えている。図１１および図１２に最もよく示されるように、ガイド面２１は、第２の凹部１５ａ，１５ｂの前面により規定されているとともに、底壁６ａに近づくに従いボトムケース６の前方に向けて傾いている。さらに、第２の凹部１５ａ，１５ｂの底に夫々嵌合孔２２が開口されている。嵌合孔２２は、ボトムケース６の幅方向に延びる細長い開口形状を有している。
【００２５】
図２、図１４ないし図１６に示すように、挿入口１６ａ，１６ｂは、ボトムケース６の前端に位置されている。挿入口１６ａ，１６ｂは、中心線Ｃ１を間に挟むようにボトムケース６の幅方向に間隔を存して並んでいるとともに、ボトムケース６の内側に開口するようにスリット状に形成されている。
【００２６】
加えて、本実施形態のボトムケース６は、一対の脚部２３ａ，２３ｂを備えている。脚部２３ａ，２３ｂは、中心線Ｃ１を間に挟むようにボトムケース６の幅方向に間隔を存して並んでいるとともに、ボトムケース６の前端からボトムケース６の前方に向けて張り出している。さらに、滑り止め用の複数のゴムパッド２４が脚部２３ａ，２３ｂの外周面に接着等の手段により固定されている。
【００２７】
図２に示すように、ボトムケース６の底壁６ａに複数のモジュラージャック２５および電源コネクタ２６が配置されている。モジュラージャック２５は、例えばＬＡＮケーブル２７を接続するための要素であって、電源コネクタ２６と共に底壁６ａからボトムケース６の外に露出されている。
【００２８】
一方、電話機１を例えば机の天板Ｔのような卓上でチルトさせる、あるいは電話機１を室内の壁Ｗに設置する際には、電話機１の機器本体２に支持具３０を取り付ける。
【００２９】
図３および図４に示すように、支持具３０は、偏平な板状であって、機器本体２の幅方向に延びている。本実施形態によると、支持具３０は、第１のパネル３１および第２のパネル３２を互いに重ね合わせて接着することで構成されている。第１のパネル３１および第２のパネル３２は、板状要素の一例であって、互いに略同じ大きさのフラットな板状に形成されている。
【００３０】
支持具３０は、第１の支持部３３および第２の支持部３４を含んでいる。第１の支持部３３は、機器本体２の幅方向に広がるフラットな形状を有し、その中央部に四角い切欠部３５が形成されている。切欠部３５は、機器本体２の幅方向に延びる第１の支持部３３の一端縁部３３ａの中央に開口されている。
【００３１】
このため、切欠部３５の存在により、第１の支持部３３の一端縁部３３ａは、二つの領域３６ａ，３６ｂに分けられている。一端縁部３３ａの二つの領域３６ａ，３６ｂは、ボトムケース６の第１の凹部１４ａ，１４ｂ又は第２の凹部１５ａ，１５ｂに選択的に嵌合可能な形状に形成されている。
【００３２】
切欠部３５は、一対の側縁３５ａ，３５ｂを有している。側縁３５ａ，３５ｂは、第１の支持部３３の長手方向に間隔を存して向かい合っている。側縁３５ａ，３５ｂの一端部に夫々軸部３７が形成されている。軸部３７は、ボトムケース６の凸部１３ａ，１３ｂに形成された嵌合溝１８に嵌合が可能な要素である。軸部３７は、第１の支持部３３の一端縁部３３ａの近くで第１の支持部３３の長手方向に間隔を存して同軸状に向かい合っている。
【００３３】
図３（Ａ）ないし（Ｃ）に示すように、第１の支持部３３の一端縁部３３ａの領域３６ａ，３６ｂに、夫々第１の係合部３９が形成されている。第１の係合部３９は、一対の係合突起３９ａ，３９ｂおよび係合爪３９ｃを含んでいる。係合突起３９ａ，３９ｂは、第１の凹部１４ａ，１４ｂの底の嵌合孔２０又は第２の凹部１５ａ，１５ｂの底の嵌合孔２２に選択的に取り外し可能に嵌合される要素であって、第１の支持部３３の長手方向に間隔を存して並んでいる。係合爪３９ｃは、嵌合孔２０の開口縁又は嵌合孔２２の開口縁に選択的に取り外し可能に引っ掛かる要素であって、係合突起３９ａ，３９ｂの間に介在されている。
【００３４】
図３および図４に示すように、支持具３０の第２の支持部３４は、第１の支持部３３と同様に、機器本体２の幅方向に広がるフラットな形状を有している。第２の支持部３４は、第１の支持部３３の一端縁部３３ａとは反対側の他端から第１の支持部３３と交差する方向に延びている。
【００３５】
このため、第２の支持部３４は、第１の支持部３３と協働して円弧状に湾曲されたコーナ部４０を構成している。言い換えると、コーナ部４０は、第１の支持部３３と第２の支持部３４との境界に位置されて、第１の支持部３３と第２の支持部３４との間を滑らかに結んでいる。
【００３６】
第２の支持部３４は、第１の支持部３３の一端縁部３３ａから離れた先端縁部３４ａを有している。先端縁部３４ａは、機器本体２の幅方向に延びている。第２の支持部３４の中央部に四角い切欠部４１が形成されている。切欠部４１は、先端縁部３４ａの中央部に開口されている。
【００３７】
第２の支持部３４の先端縁部３４ａに一対の第２の係合部４２ａ，４２ｂが形成されている。第２の係合部４２ａ，４２ｂは、ボトムケース６の挿入口１６ａ，１６ｂに取り外し可能に挿入される要素であって、切欠部４１に臨むように第２の支持部３４の先端縁部３４ａの長手方向に間隔を存して並んでいる。さらに、第２の係合部４２ａ，４２ｂは、第２の支持部３４の厚み方向に延びる舌片状に形成されている。
【００３８】
図３（Ｃ）および図４に示すように、支持具３０の第１の支持部３３は、壁掛け穴４５を有している。壁掛け穴４５は、ボトムケース６の中心線Ｃ１の上に位置するように第１のパネル３１に形成されている。
【００３９】
壁掛け穴４５は、一対の開口部４５ａ，４５ｂと、一対のスリット４５ｃ，４５ｄと、を有している。開口部４５ａ，４５ｂは、中心線Ｃ１に沿うように互いに間隔を存して並んでいるとともに、一方の開口部４５ａが切欠部４１に通じている。一方のスリット４５ｃは、開口部４５ａ，４５ｂの間に跨るように形成されて、開口部４５ａ，４５ｂの開口周縁に開口されている。他方のスリット４５ｄは、他方の開口部４５ｂの開口周縁から切欠部３５に向けて延びている。スリット４５ｃ，４５ｄの幅は、開口部４５ａ，４５ｂの直径よりも小さい。
【００４０】
図３（Ａ）および図４に示すように、支持具３０の第１の支持部３３は、フラットな外観面４７を有している。外観面４７は、第２のパネル３２に形成されて、第１のパネル３１の壁掛け穴４５に対し支持具３０の厚み方向に沿う反対側に位置されている。言い換えると、外観面４７は、壁掛け穴４５を支持具３０の背後から覆い隠している。本実施形態では、外観面４７の上に例えば製品名を示すロゴタイプ４８が表示されている。
【００４１】
図５および図６は、机の天板Ｔの上に支持具３０を用いて電話機１を設置した第１の形態を開示している。図５は、天板Ｔに対する電話機１のチルト角度αを６０°に設定した時の例を示している。
【００４２】
図５、図７ないし図９に示すように、電話機１のチルト角度αが６０°の場合、支持具３０の第１の支持部３３の一端縁部３３ａがボトムケース６の第１の凹部１４ａ，１４ｂに嵌め込まれて、ガイド面１９に接している。さらに、第１の係合部３９の係合突起３９ａ，３９ｂが第１の凹部１４ａ，１４ｂの底の嵌合孔２０に密に嵌め込まれて、ボトムケース６に対する支持具３０の回り止めがなされている。それとともに、第１の係合部３９の係合爪３９ｃが嵌合孔２０の開口縁部に引っ掛かって、ボトムケース６に対する支持具３０の抜け止めがなされている。
【００４３】
これにより、支持具３０は、その第１の支持部３３をボトムケース６の底壁６ａから天板Ｔに向けて突出させた姿勢でボトムケース６に保持されている。支持具３０がボトムケース６に保持された状態では、支持具３０の第２の支持部３４が第１の支持部３３の他端から電話機１の後方に延びるような姿勢で天板Ｔの上に載置されている。
【００４４】
この結果、電話機１の機器本体２が起立されて、ボトムケース６の前端の脚部２３ａ，２３ｂがゴムパッド２４を介して天板Ｔに接している。
【００４５】
図６は、天板Ｔに対する電話機１のチルト角度αを３５°に設定した時の例を示している。
【００４６】
図６、図１０ないし図１２に示すように、電話機１のチルト角度αが３５°の場合、支持具３０の第１の支持部３３の一端縁部３３ａがボトムケース６の第２の凹部１５ａ，１５ｂに嵌め込まれて、ガイド面２１に接している。さらに、第１の係合部３９の係合突起３９ａ，３９ｂが第２の凹部１５ａ，１５ｂの底の嵌合孔２２に密に嵌め込まれて、ボトムケース６に対する支持具３０の回り止めがなされている。それとともに、第１の係合部３９の係合爪３９ｃが嵌合孔２２の開口縁部に引っ掛かって、ボトムケース６に対する支持具３０の抜け止めがなされている。
【００４７】
これにより、支持具３０は、その第１の支持部３３をボトムケース６の底壁６ａから天板Ｔに向けて突出させた姿勢でボトムケース６に保持されている。支持具３０がボトムケース６に保持された状態では、支持具３０の第２の支持部３４が第１の支持部３３の他端から電話機１の後方に延びるような姿勢で天板Ｔの上に載置されている。
【００４８】
この結果、電話機１の機器本体２が起立されて、ボトムケース６の前端の脚部２３ａ，２３ｂがゴムパッド２４を介して天板Ｔに接している。
【００４９】
したがって、支持具３０の第１の支持部３３の一端縁部３３ａを、第１の凹部１４ａ，１４ｂ又は第２の凹部１５ａ，１５ｂのいずれかに嵌合させることで、電話機１のチルト角度αを二段階に亘って変更することができる。
【００５０】
さらに、支持具３０の第２の支持部３４は、第１の支持部３３の他端から机の天板Ｔに沿うように第１の支持部３３の後方に向けて延出されている。このため、電話機１を天板Ｔの上に支える際の支点となる第２の支持部３４が、天板Ｔに接したボトムケース６の前端よりもボトムケース６の後方に大きく変位することになる。
【００５１】
よって、支持具３０の第２の支持部３４を電話機１の後方に片寄らせた位置で天板Ｔに接触させることができ、その分、天板Ｔの上で起立された電話機１の姿勢が安定する。
【００５２】
一方、図１３は、室内の起立した壁Ｗに支持具３０を用いて電話機１を設置した第２の形態を開示している。図１３に示すように、一対の止め具５０ａ，５０ｂが壁Ｗに取り付けられている。止め具５０ａ，５０ｂは、電話機１の壁掛け穴１７および支持具３０の壁掛け穴４５に取り外し可能に引っ掛かる要素であって、壁Ｗの高さ方向に互いに間隔を存して並んでいる。止め具５０ａ，５０ｂは、夫々壁Ｗから突出された軸部５１と、軸部５１の先端に同軸状に設けられた円盤状の頭部５２とを備えている。
【００５３】
電話機１を壁Ｗに設置する場合は、電話機１を机の天板Ｔの上に設置する場合との比較において、支持具３０の向きを反転させる。
【００５４】
具体的には、図１４および図１５に示すように、支持具３０の外観面４７がボトムケース６の底壁６ａと向かい合うような姿勢に支持具３０を反転させる。この状態で、図１４および図１６に示すように、第２の支持部３４の第２の係合部４２ａ，４２ｂをボトムケース６の前端に開口された挿入口１６ａ，１６ｂに挿入し、第２の支持部３４の先端縁部３４ａをボトムケース６の前端に引っ掛ける。
【００５５】
それとともに、図１７に示すように、第１の支持部３３の切欠部３５の内側に設けられた軸部３７を、ボトムケース６の凸部１３ａ，１３ｂに設けられた嵌合溝１８に挿入し、第１の支持部３３の一端縁部３３ａをボトムケース６の中央部に引っ掛ける。
【００５６】
これにより、支持具３０は、外観面４７をボトムケース６の底壁６ａに向けるとともに、第１および第２の支持部３３，３４を底壁６ａから突出させた姿勢でボトムケース６に保持されている。支持具３０がボトムケース６に保持された状態では、第１の支持部３３の壁掛け穴４５が電話機１の背後に露出されて、第１の支持部３３の壁掛け穴４５と取り付け座部１２の壁掛け穴１７とが同一平面上で電話機１の奥行き方向に間隔を存して並んでいる。
【００５７】
電話機１のボトムケース６に支持具３０を保持させた後、ボトムケース６の取り付け座部１２を壁Ｗに押し当てることで、壁掛け穴１７の開口部１７ａに止め具５０ａの頭部５２を挿入する。同様に、支持具３０の第１の支持部３３を壁Ｗに押し当てることで、掛け掛け穴４５の開口部４５ａ又は４５ｂに止め具５０ｂの頭部５２を挿入する。
【００５８】
この状態で電話機１を壁Ｗに沿うように下方にスライドさせると、止め具５０ａの軸部５１が壁掛け穴１７のスリット１７ｂに入り込んで、止め具５０ａの頭部５２が取り付け座部１２に引っ掛かる。同様に、止め具５０ｂの軸部５１が壁掛け穴４５のスリット４５ｃ又は４５ｄに入り込んで、止め具５０ｂの頭部５２が第１の支持部３３に引っ掛かる。
【００５９】
この結果、図１３に示すように、電話機１が支持具３０を介して壁Ｗに設置される。電話機１が壁Ｗに設置された状態では、ボトムケース６の底壁６ａと壁Ｗとの間に支持具３０の第１の支持部３３の長さに対応するような隙間Ｓが形成され、この隙間Ｓにボトムケース６の底壁６ａから引き出されたＬＡＮケーブル２７が収められている。
【００６０】
さらに、ボトムケース６の底壁６ａと壁Ｗとの間に支持具３０の第２の支持部３４が介在されるので、各種のボタン８および液晶表示パネル９が配置された機器本体２の上面７ａが見やすい角度に傾斜されている。
【００６１】
第１の実施形態によると、電話機１を机の天板Ｔの上で起立させたり、あるいは電話機１を室内の起立した壁Ｗに掛ける際に用いる支持具３０は、電話機１の機器本体２の幅方向に延びる偏平な板状に形成されている。具体的には、支持具３０は、機器本体２の幅方向に広がるフラットな第１の支持部３３と、第１の支持部３３の他端から第１の支持部３３と交差する方向に延出されるとともに、機器本体２の幅方向に広がるフラットな第２の支持部３４とで構成されている。
【００６２】
このため、支持具３０で支えられた電話機１を側方から見た場合に、支持具３０は、薄い板を単純に折り曲げただけの簡素な形状となり、支持具３０のボリューム感および存在感が軽減される。したがって、電話機１を机の天板Ｔあるいは壁Ｗに設置するいずれの場合でも、支持具３０が目立ち難くなり、支持具３０を含めた電話機１の外観を良好に維持することができる。
【００６３】
本実施形態によると、机の天板Ｔの上に電話機１を設置した第１の形態では、支持具３０の壁掛け穴４５が起立されたボトムケース６の底壁６ａを指向している。それとともに、支持具３０の外観面４７が支持具３０の後方に露出されて、壁掛け穴４５を支持具３０の背後から覆い隠している。
【００６４】
このため、電話機１を机の天板Ｔの上に設置した時に、支持具３０の壁掛け穴４５が電話機１の背後から見えなくなり、この点でも支持具３０の外観を良好に維持する上で好都合となる。
【００６５】
さらに、外観面４７にロゴタイプ４８を表示することで、支持具３０の意匠的な効果を高めることができる。
【００６６】
加えて、第１の実施形態では、支持具３０の第１の支持部３３に壁掛け穴４５が設けられ、さらに電話機１の底壁６ａから突出された取り付け座部１２にも壁掛け穴１７が設けられている。壁Ｗから突出された一方の止め具５０ａは、電話機１の壁掛け穴１７に引っ掛かり、壁Ｗから突出された他方の止め具５０ｂは、支持具３０の壁掛け穴４５に引っ掛かっている。
【００６７】
この構成によれば、電話機１そのものが壁Ｗに直接保持されるので、電話機１を壁Ｗに掛けた時に、電話機１の重量の全てが支持具３０に集中することはなく、支持具３０の負担が軽減される。このため、支持具３０の構成および支持具３０とボトムケース６との連結部分の構成を簡素化することができる。
【００６８】
［第２の実施形態］
図１８ないし図２１は、第２の実施形態を開示している。第２の実施形態は、支持具６０の構成が第１の実施形態と相違している。
【００６９】
図１８に示すように、支持具６０は、電話機の幅方向に延びる偏平なメインパネル６１と、メインパネル６１よりも小さいサブパネル６２とで構成されている。メインパネル６１およびサブパネル６２は、板状要素の一例であって、支持具６０の厚み方向に互いに重ね合わせて接着されている。
【００７０】
メインパネル６１は、第１の実施形態と同様の第１の支持部３３および第２の支持部３４を有している。第１の支持部３３および第２の支持部３４は、第１の実施形態と同一の構成を有するので、第１の実施形態と同一の参照符号を付して、その説明を省略する。
【００７１】
メインパネル６１は、表面６３ａおよび背面６３ｂを有している。表面６３ａはフラットな面であり、表面６３ａのうち第１の支持部３３に対応する箇所が外観面４７となっている。外観面４７には、例えば意匠的な効果を高めるロゴタイプ４８が表示されている。
【００７２】
背面６３ｂは、表面６３ａの裏側に位置されている。格子状のリブ６４が背面６３ｂに一体に形成されている。リブ６４は、メインパネル６１を補強している。
【００７３】
サブパネル６２は、メインパネル６１の背面６３ｂの中央部に接着されて、リブ６４により取り囲まれている。サブパネル６１は、第１の実施形態と同様の壁掛け穴４５を有している。壁掛け穴４５の構成は、第１の実施形態と同様であるので、第１の実施形態と同一の参照符号を付して、その説明を省略する。壁掛け穴４５は、メインパネル６１の外観面４７によってサブパネル６２の背後から覆い隠されている。
【００７４】
第２の実施形態によると、サブパネル６２が壁掛け穴４５を形成し得る必要最小限の大きさに縮小されている。そのため、第１の実施形態の支持具３０と比較した場合に、支持具６０を軽量化できるとともに、支持具６０のコストを低減することが可能となる。
【００７５】
［第３の実施形態］
図２２は、第３の実施形態を開示している。第３の実施形態は、支持具３０の第２の支持部３４がボトムケース６から離脱するのを防ぐ構成を付加した点が第１の実施形態と相違している。それ以外の電話機１および支持具３０の構成は、第１の実施形態と同様である。
【００７６】
図２２に示すように、ボトムケース６の底壁６ａの前端部にストッパ７１が形成されている。ストッパ７１は、支持具３０の第２の係合部４２ａ，４２ｂをボトムケース６の挿入口１６ａ，１６ｂに挿入した時に、支持具３０の第２の支持部３４の先端縁部３４ａを受け止める要素であって、ボトムケース６の厚さ方向に弾性変形が可能となっている。
【００７７】
さらに、ストッパ７１の先端に爪７２が形成されている。爪７２は、図２２に矢印で示す第２の係合部４２ａ，４２ｂの挿入方向とは反対側から第２の支持部３４の先端縁部３４ａに弾性的に引っ掛かっている。これにより、爪７２は、支持具３０の第２の係合部４２ａ，４２ｂがボトムケース６の挿入口１６ａ，１６ｂから抜け出るのを防いでいる。
【００７８】
第３の実施形態によると、電話機１を壁Ｗに掛けた状態では、ストッパ７１の爪７２が電話機１の下方から支持具３０の第２の支持部３４の先端縁部３４ａに弾性的に引っ掛かっている。
【００７９】
このため、壁Ｗに掛けた電話機１を押し上げようとする外力が電話機１に加わったとしても、電話機１と支持具３０との相対的な位置関係が変化することはない。したがって、ボトムケース６の挿入口１６ａ，１６ｂが支持具３０の第２の係合部４２ａ，４２ｂから抜け出るのを防止でき、電話機１を壁Ｗの定位置にしっかりと保持することができる。
【００８０】
卓上あるいは壁に設置する電子機器は、電話機に特定されるものではない。例えば、小型のテレビ、液晶ディスプレイあるいはデジタルカメラで撮影した画像データを表示するデジタルフォトフレームでも同様に実施可能である。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１…電子機器（電話機）、２…機器本体、４…筐体、６…底部（ボトムケース）、７ａ…操作面（上面）、３０…支持具、３３…第１の支持部、３４…第２の支持部、３９…第１の係合部、４２ａ，４２ｂ…第２の係合部、５０ａ，５０ｂ…止め具。
【図１】
2014049568.tif 000003
【図２】
2014049568.tif 000004
【図３】
2014049568.tif 000005
【図４】
2014049568.tif 000006
【図５】
2014049568.tif 000007
【図６】
2014049568.tif 000008
【図７】
2014049568.tif 000009
【図８】
2014049568.tif 000010
【図９】
2014049568.tif 000011
【図１０】
2014049568.tif 000012
【図１１】
2014049568.tif 000013
【図１２】
2014049568.tif 000014
【図１３】
2014049568.tif 000015
【図１４】
2014049568.tif 000016
【図１５】
2014049568.tif 000017
【図１６】
2014049568.tif 000018
【図１７】
2014049568.tif 000019
【図１８】
2014049568.tif 000020
【図１９】
2014049568.tif 000021
【図２０】
2014049568.tif 000022
【図２１】
2014049568.tif 000023
【図２２】
2014049568.tif 000024